(57)【要約】【課題】消費電力を節減しながらも、支柱の根元付近より離れた箇所までを照明することができる照明装置を提供する【解決手段】中央の照明列２３の各ＬＥＤランプ２１の照明方向を照明装置１の正面に向け、左側の照明列２２の各ＬＥＤランプ２１の照明方向を照明装置１の正面よりも左側２５度に向け、右側の照明列２４の各ＬＥＤランプ２１の照明方向を照明装置１の正面よりも右側２５度に向けている。これにより、各照明列２２、２３、２４の照明範囲が部分的に相互に重なり合って該各照明列２２、２３、２４の並設方向に並び、この照明範囲が広がって均一な明るさとなる。【選択図】図２
2006244710.tif 000002
【特許請求の範囲】
【請求項１】
指向性を有する複数の照明列を並設し、これらの照明列の照明範囲が部分的に相互に重なり合う様に該各照明列の照明方向を放射状に向けたことを特徴とする照明装置。
【請求項２】
照明列は、該照明列の長手方向で円弧状に曲げられたことを特徴とする請求項１に記載の照明装置。
【請求項３】
照明列は、照明光の焦点を持ち、均一な明るさの照明範囲を形成することを特徴とする請求項２に記載の照明装置。
【請求項４】
相互に隣り合う各照明列同士で、該各照明列の光源が互い違いに配列されたことを特徴とする請求項１に記載の照明装置。
【請求項５】
照明列の光源がＬＥＤであることを特徴とする請求項１に記載の照明装置。
【請求項６】
各照明列を支持する支柱を備えたことを特徴とする請求項１に記載の照明装置。
【請求項７】
各照明列は、支柱に開口された収納スペースに配置されたことを特徴とする請求項６に記載の照明装置。
【発明の詳細な説明】
【技術分野】
【０００１】
本発明は、屋外での夜間照明等に用いられる照明装置に関する。
【背景技術】
【０００２】
街路灯、庭園や構内の常夜灯などの照明装置は、適宜な照度を有する数十Ｗの直管蛍光燈やサークルライン等を光源とし、商用交流電源からの電力供給を受けて、３乃至４ｍの高さより照明するものである。従って、この種の照明装置は、極めて高い照度を有する水銀灯や低圧ナトリウム灯を光源として、５乃至１０ｍの高さより照明する車道用のものとは異なる。
【０００３】
この種の照明装置では、３乃至４ｍの支柱の頂部に光源を取り付けて、その高さより斜め前方を照明し、かつ光源の照度を適宜に抑えることから、その照明範囲が支柱の前方近傍に制約されて狭く、その上、支柱の根元付近も十分に照明することができず、足元が暗くなる傾向にあった。このため、弱視の人、子供、老人、自転車に乗っている人等は、支柱から離れた箇所や支柱の根元付近を視認し難く、路上の石、支柱、及び支柱のベース等に躓いたり衝突し易く、転倒することもあった。
【０００４】
そこで、特許文献１、２には、多角形状に配置された各基板に複数の発光ダイオード（以下ＬＥＤと称す）をそれぞれ設けて、照明部を構成し、これにより照明範囲を広げるという技術が開示されている。
【特許文献１】特開２００４−２００１０２号公報
【特許文献２】特開２００４−２００１３４号公報
【発明の開示】
【発明が解決しようとする課題】
【０００５】
しかしながら、特許文献１、２では、各ＬＥＤを如何に配置して如何なる方向に向けるべきかを十分に追求しておらず、ＬＥＤの特性を十分に発揮しているとは言えなかった。
【０００６】
また、この種の照明装置では、商用交流電源ではなく、太陽電池と蓄電池を組み合わせた電源を用いることがある。この場合は、消費電力の節減が必須となり、照明範囲がより狭くなって、照度もより低下することになり、支柱から離れた箇所や支柱の根元付近の視認性向上が益々困難になった。
【０００７】
そこで、本発明は、上記従来の問題点に鑑みてなされたものであり、消費電力を節減しながらも、支柱の根元付近より離れた箇所までを照明することができる照明装置を提供することを目的とする。
【課題を解決するための手段】
【０００８】
上記課題を解決するために、本発明の照明装置は、指向性を有する複数の照明列を並設し、これらの照明列の照明範囲が部分的に相互に重なり合う様に該各照明列の照明方向を放射状に向けている。
【０００９】
また、本発明においては、照明列は、該照明列の長手方向で円弧状に曲げられている。
【００１０】
更に、本発明においては、相互に隣り合う各照明列同士で、該各照明列の光源が互い違いに配列されている。
【００１１】
また、本発明においては、照明列は、照明光の焦点を持ち、均一な明るさの照明範囲を形成している。
【００１２】
更に、本発明においては、照明列の光源がＬＥＤである。
【００１３】
また、本発明においては、各照明列を支持する支柱を備えている。
【００１４】
更に、本発明においては、各照明列は、支柱に開口された収納スペースに配置されている。
【発明の効果】
【００１５】
本発明によれば、各照明列を並設し、これらの照明範囲が部分的に相互に重なり合う様に各照明列の照明方向を放射状に向けている。この様な各照明列の配置と向きにより、各照明列の照明範囲を、該各照明列の並設方向に無駄なく並べることができ、この並設方向に広がる範囲での均一な照明が可能になる。例えば、複数のＬＥＤを並べて照明列を形成し、複数の照明列を並設する。ＬＥＤの指向性が狭くても、本発明の様な照明列の配置により、広い範囲の均一な照明を得ることができる。
【００１６】
また、照明列が該照明列の長手方向で円弧状に曲げられているので、照明列の照射光が該円弧状の中心付近（焦点）を通ってから拡散する。これによって、各照明列の照明範囲を、該各照明列の並設方向と直交する方向に広げることができ、この照明範囲を均一な明るさにすることができる。
【００１７】
更に、相互に隣り合う各照明列同士で、該各照明列の光源が互い違いに配列されているので、各照明列の近接配置が容易になり、各照明列の占有スペースを狭くして、照明装置の小型化を図ることができる。
【００１８】
これに対して各照明列の光源を互い違いに配列せず、各照明列の光源を横に並べた場合は、各照明列の光源を接近させると、各照明列の光源が相互に接触するので、各照明列の近接配置が困難になり、各照明列の占有スペースを狭くすることもできない。
【００１９】
更に、照明列の光源がＬＥＤである。ＬＥＤは、その消費電力が低いので、太陽電池と蓄電池の組み合わせからなる電源を用いることが可能になる。
【００２０】
また、各照明列を支持する支柱を備えている。この場合は、本発明の照明装置を街路灯等として用いることができる。また、各照明列を支柱に開口された収納スペースに配置しても良い。これにより、照明装置が支柱の幅に収まる。
【発明を実施するための最良の形態】
【００２１】
以下、本発明の実施形態を添付図面を参照しつつ詳細に説明する。
【００２２】
図１は、本発明の照明装置の実施形態１を示す斜視図である。また、図２は本実施形態の照明装置を示す正面図であり、図３は本実施形態の照明装置を示す側面図であり、図４は本実施形態の照明装置を上方から見て示す平面図である。更に、図５は、本実施形態の照明装置による照明範囲を示す側面図である。
【００２３】
本実施形態の照明装置１では、支柱２の上部に主照明部３を設け、支柱２の下部に副照明部４を設けている。また、支柱２の上部に太陽電池５を支持し、支柱２内に複数の蓄電池６及び充放電ユニット７を縦に並べて収容している。充放電ユニット７は、太陽電池５の発電電力を各蓄電池６に充電したり、各蓄電池６の電力を主照明部３及び副照明部４に供給して、主照明部３及び副照明部４を点灯させる。地震センサ８は、例えば鋼球を利用した周知の水平感震センサである。
【００２４】
支柱２は、アルミ材の板金加工及び各種の成形により形成したものであり、四角柱状の中空である。また、ベースプレート１１及び各補強板１２は、アルミ板を切断加工したものである。支柱２、ベースプレート１１、及び各補強板１２の表面は、滑らかな鏡面状である。
【００２５】
支柱２の下端にベースプレート１１を固定し、支柱２の各側壁とベースプレート１１を４個の補強板１２により連結して、支柱２にベースプレート１１を強固に取り付けている。支柱２、ベースプレート１１、及び各補強板１２は、溶接もしくはネジ止めにより相互に固定される。
【００２６】
本実施形態の照明装置１は、ベースプレート１１により固定するタイプである。
【００２７】
支柱２は、垂直胴部２ｂが直線状であり、また地上高（ベースプレート１１からの高さ）約２．５ｍよりも上側の頭部２ａがＲ０．７５ｍで湾曲成形されたものである。この湾曲した頭部２ａにおける地上高約３ｍの部位で該支柱２の側壁を開口して、収納スペース２ｃを形成し、この収納スペース２ｃに主照明部３を収納し、この収納スペース２ｃの開口部に透明カバー１３を取り付けて、この透明カバー１３により主照明部３を保護している。
【００２８】
主照明部３は、１１個のＬＥＤランプ２１を備えている。支柱２の収納スペース２ｃにおける該支柱２の背面側壁に、各ＬＥＤランプ２１を取り付けるためのそれぞれのソケットを配列して固定し、各ＬＥＤランプ２１をそれぞれのソケットに差し込んで接続している。
【００２９】
ＬＥＤランプ２１は、複数のＬＥＤを円や多角形のラインに沿って幾何学的に基板上に配列して搭載し、各ＬＥＤ及び基板をガラス等からなる散光球体により覆い、ソケットに差し込まれる口金を付設したものである。
【００３０】
この様なＬＥＤランプ２１は、例えば半値全幅が２０度程度であり、照明方向の指向性が電球等に比較して狭くなっている。
【００３１】
各ＬＥＤランプ２１は、３列に配列されて、３つの照明列２２、２３、２４を形成している。各照明列２２、２３、２４の相互に隣り合うもの同士では、各ＬＥＤランプ２１を互い違いに配列している。これにより、各照明列２２、２３、２４の近接配置が容易になり、各照明列２２、２３、２４の占有スペースを狭くして、主照明部３の小型化を図り、主照明部３を支柱２に収めることが可能になる。
【００３２】
仮に、各ＬＥＤランプ２１を互い違いに配列せず、各ＬＥＤランプ２１を横に並べた場合は、各ＬＥＤランプ２１を接近させると、各ＬＥＤランプ２１が相互に接触するので、各照明列２２、２３、２４の近接配置が困難になり、各照明列２２、２３、２４の占有スペースを狭くすることもできない。
【００３３】
中央の照明列２３の各ＬＥＤランプ２１の照明方向を照明装置１の正面に向け、左側の照明列２２の各ＬＥＤランプ２１の照明方向を照明装置１の正面よりも左側２５度に向け、右側の照明列２４の各ＬＥＤランプ２１の照明方向を照明装置１の正面よりも右側２５度に向けている。これにより、各照明列２２、２３、２４の照明範囲が部分的に相互に重なり合って該各照明列２２、２３、２４の並設方向に並び、この照明範囲が広がって均一な明るさとなる。
【００３４】
また、各ＬＥＤランプ２１のうちの上側の５個を水平より上向きに４７度傾斜した平面上に配列して、この上側の５個のＬＥＤランプ２１を斜め下方に向け、また下側の６個を水平より上向きに６２度傾斜した平面上に配列して、この下側の６個のＬＥＤランプ２１を斜め下方に向けている。このため、上側の５個の各ＬＥＤランプ２１の照射光と下側の６個の各ＬＥＤランプ２１の照射光とが主照明部３より約０．６ｍ離れた位置で焦点を一旦結んでから離れて行く。これにより、主照明部３の照明範囲が各照明列２２、２３、２４の並設方向とは直交する方向でも広がり、この照明範囲が均一な明るさとなる。
【００３５】
この様に各照明列２２、２３、２４の照明範囲を部分的に相互に重なり合わせて該各照明列２２、２３、２４の並設方向に並べ、主照明部３の照明範囲を各照明列２２、２３、２４の並設方向とは直交する方向でも広げているので、主照明部３により図４及び図５に示す様な支柱２の前方の照明範囲Ａを均一に照明することができる。この照明範囲Ａは、例えば支柱２の前方約４ｍよりも遠くで左右４０度程度の広がりを有する。
【００３６】
尚、主照明部３の各照明列の個数や向き等は、適宜に変更しても良い。また、主照明部３の各ＬＥＤランプ２１を垂直に対して斜め下方４５度に向けた状態で照明を行っても良い。
【００３７】
一方、副照明部４は、ベースプレート１１より略１ｍ（地上略１ｍ）の垂直胴部２ｂの部位に設けられている。この部位で支柱２の側壁を開口して、収納スペース２ｄを形成し、この収納スペース２ｄに副照明部４を収納し、この収納スペース２ｄの開口部に透明カバー１４を取り付けて、この透明カバー１４により副照明部４を保護している。
【００３８】
副照明部４は、４個のＬＥＤランプ２５を備えている。各ＬＥＤランプ２５は、各ＬＥＤランプ２１と略同一構造であり、例えば半値全幅が２０度程度であり、照明方向の指向性が電球等に比較して狭くなっている。
【００３９】
各ＬＥＤランプ２５は、支柱２の前方向に向き、かつ垂直胴部２ｂより斜め下方６０度の方向に向く。そして、各ＬＥＤランプ２５は、それらの指向性が狭いことから、支柱２の前方やや離れた特定範囲を照明する。
【００４０】
また、各ＬＥＤランプ２５の裏側には、光反射板１５が設けられている。各ＬＥＤランプ２５からの散乱光は、この光反射板１５により反射されて、支柱２の前方に出射される。また、各ＬＥＤランプ２５から前方に出射された光の一部が透明カバー１４により散乱される。この様な光反射板１５により反射されて前方に出射された光及び透明カバー１４により散乱された光は、支柱２の根元付近を照明する。
【００４１】
従って、副照明部４は、図４及び図５に示す様な支柱２の根元付近から前方やや離れた箇所までの照明範囲Ｂを照明する。照明範囲Ｂは、例えば最大幅２ｍで長さ４ｍ程度である。
【００４２】
尚、主照明部３の光が透明カバー１３で散乱され、副照明部４の光が透明カバー１４で散乱されて、これらの散乱された光が支柱２そのものを僅かながらも照明する。これにより、支柱２の視認性が向上する。また、各透明カバー１３、１４は、支柱２の外観を向上させるという効果を奏する。
【００４３】
この様に照明装置１では、主照明部３により図４及び図５に示す支柱２前方の照明範囲Ａを照明するだけではなく、副照明部４により図４及び図５に示す支柱２の根元付近からやや離れた箇所までの照明範囲Ｂを照明することができる。このため、例えば図６に示す様に照明装置１を庭園等に設置した場合は、照明装置１の支柱２の前方は勿論のこと、支柱２の根元付近より飛び石３１からなる路に沿って照明をすることができる。あるいは、照明装置１を街路灯として設置した場合は、支柱２の根元付近より街路に沿って照明をすることができる。
【００４４】
また、副照明部４が４個のＬＥＤランプ２５だけであり、各ＬＥＤランプ２５の照度が格別に高くないものの、各ＬＥＤランプ２５の照明方向に指向性を有することから、支柱２の根元付近よりやや離れた箇所までを効率的に照明して、この照明範囲の視認性を確保することができる。従って、照明装置１は、街路灯、庭園や構内の常夜灯などとして好適であり、副照明部４の照明を自転車や自動車を運転する人が眩しく感じることもない。また、副照明部４の照明範囲を特定していることから、副照明部４の消費電力を抑えることができる。従って、消費電力を節減しながらも、支柱２の根元付近より離れた箇所までを照明することができる。
【００４５】
仮に、副照明部４の照明方向に指向性がなければ、支柱２の根元付近より離れた箇所までを照明するには、副照明部４の照度を極めて高くする必要があり、例えば高輝度のガス封止電球等を用いることになる。しかしながら、高輝度のガス封止電球等は、街路灯、庭園や構内の常夜灯などの副照明部４として適格ではなく、副照明部４として用いると、副照明部４の照明を自転車や自動車を運転する人が眩しく感じてしまい、事故を誘発し易く、また消費電力も極めて増大する。
【００４６】
また、支柱２の上側の頭部２ａを湾曲成形しているので、優れた外観を得ることができる。
【００４７】
更に、主照明部３及び副照明部４をそれぞれの透明カバー１３、１４で覆っているので、支柱２の表面に凹凸がなく、いたずらを防止することができ、スリムな外観を得ることができる。
【００４８】
また、支柱２の材質として、アルミ材を用いているので、軽量であり、塗装が容易であり、用途に合わせた彩色も可能となり、しかも耐久性に優れ、外観が良くなる。そして、昼間においては、彩色により用途に合わせた視認、非視認の選択もできる。
【００４９】
更に、先に述べた様に主照明部３の各ＬＥＤランプ２１及び副照明部４の各ＬＥＤランプ２５の消費電力は、０．５乃至１．０Ｗ程度であり、電灯等の消費電力と比較すると非常に小さい。各蓄電池６として、２乃至６個の１２Ｖ長寿命蓄電池を適用すれば、太陽電池５と各蓄電池６との組み合わせからなる電源により、日照時間が殆ど無くても、５乃至１０日にわたって、主照明部３及び副照明部４を点灯させることが可能になる。このため、照明装置１は、単なる照明としてだけではなく、案内灯、保安灯、地震等の災害時の非常灯などの役目も果たすことができる。
【００５０】
更に、各ＬＥＤランプ２１、２５においては、複数のＬＥＤを幾何学的に配置しているので、各ＬＥＤの発光そのものがデザイン的に優れ、人に安らぎ感を与える。
【００５１】
次に、太陽電池５、各蓄電池６、及び充放電ユニット７について述べる。
【００５２】
太陽電池５は、支持枠４１により支持されており、この支持枠４１が支柱２の上端に突設されたシャフト４２により回転自在に支持されている。
【００５３】
図７（ａ）は、太陽電池５、支持枠４１、及びシャフト４２等を示す部分断面図であり、また図７（ｂ）は、図７（ａ）の点線部分を拡大して示す断面図である。この太陽電池５は、２０乃至３０年の耐用期間を持つものであり、例えば単結晶又は多結晶の太陽電池セルを太陽光透過率の高い強化ガラス裏面に実装支持し、耐候性白色フィルムを貼り合わせて、ＥＶＡ（エチレン酢酸ビニル共重合体）やシリコーン樹脂等により補強し、更に裏面側にコネクタボックス（図示せず）を取り付けたものである。支持枠４１は、ステンレス鋼を板金加工して形成されたものであり、太陽電池５の端部に嵌合された縁ゴム５ａを挟み込んで支持している。また、支持枠４１の中央部が下方に膨らんで中空となっており、太陽電池５並びに支持枠４１の構造強度を増すと共に、デザイン的にも変化を設けている。ここに太陽電池５裏面側のコネクタボックスが収納されている。更に、支持枠４１裏面には、太陽電池５の受光面に対して７０度〜４５度傾けて筒状のシャフト受け４３を突設している。
【００５４】
支持枠４１は、その裏面のシャフト受け４３を支柱２の上端のシャフト４２に嵌め込むことにより回転自在に支持される。受光面に対して７０度の状態では、太陽電池５の受光面が水平方向に対して２０度傾く。この２０度の傾きは、山影、至近の建物、構造物等により受光障害が多く発生するなど照明装置１の設置環境が悪く、太陽からの直接光が支柱２の上部の太陽電池５に殆ど入射しないときに、この直接光に代わって、空からの間接光を太陽電池５により多く入射させるために設定される。
【００５５】
また、照明装置１の設置環境が良く、太陽からの直接光が支柱２上部の太陽電池５に入射するときには、太陽電池５の受光面を水平方向に対して略３５度傾けるのが良い。
【００５６】
冬季多少の積雪がある地域、及び年間を通して１２月１月等の日射量が極端に少ない地域などでは、積雪の滑雪効果も増大する略４５度傾けるのが良い。
【００５７】
更に、支持枠４１を回転させて、太陽電池５による発電電力が最も大きくなる様に太陽電池５を南の方向近辺に向ける。
【００５８】
支柱２背面の側壁の一部は、ネジ止めされ、着脱自在となっている。この側壁の一部の長さは、各蓄電池６及び充放電ユニット７の配置スペースの長さに略等しくされており、この側壁の一部を取り外せば、各蓄電池６及び充放電ユニット７のメンテナンスを行なうことができる。
【００５９】
また、支柱２の内壁の４隅と各蓄電池６及び充放電ユニット７との間には、隙間を設けている。この隙間は、夏期に支柱２内で温度上昇した空気や、各蓄電池６から発生したガスを上方に通して支柱２の開口部から放出するために、あるいは支柱２内に侵入した雨水や結露を下方に通して支柱２の水抜き孔（図示せず）から排水するために設けられたものである。
【００６０】
ここで、太陽電池５の発電電力は、充放電ユニット７に供給される。充放電ユニット７は、太陽電池５の発電電力を各蓄電池６に充電する。また、日没後には、太陽電池５の発電電圧が低下することから、充放電ユニット７は、太陽電池５の発電電圧が一定値以下となる日没を感知し、各蓄電池６の電力を主照明部３及び副照明部４に供給して、主照明部３及び副照明部４を点灯させる。更に、充放電ユニット７は、主照明部３及び副照明部４の点灯時間を計時し、この計時した点灯時間が一定時間に達すると、主照明部３及び副照明部４を消灯する。これは、一般に、深夜になると照明を必要としないことから、節電のために行われる。ただし、照明装置１の保安灯や非常灯としての役目を重視する場合は、明け方近くまで、蓄電池６の残存電力が一定値を下回らない範囲で、主照明部３及び副照明部４の点灯を継続しても良い。
【００６１】
この点灯時間は１〜１０時間の任意の時間に設定でき、日没から日の出までと設定することもできる。
【００６２】
この様に照明装置１では、太陽電池５を支持枠４１により直接支持しているので、太陽電池５そのものを支持する枠と太陽電池５を支柱２に取り付けるための枠を共通化することができ、支持枠４１の小型化、構造の簡単化、外観の改善、部品点数の減少、コストの削減等を図ることができる。また、太陽電池５並びに支持枠４１の受風面積を減らして、それらの必要強度を小さくすることができ、これに伴い支持枠４１の厚みや質量をより軽減することができ、支柱２の厚みや質量も軽減することができる。
【００６３】
通常、市販されている太陽電池には、厚み２５乃至５０ｍｍ程度のアルミ製の枠が取り付けられている。仮に、このアルミ製の枠を更に支柱２の支持枠４１により支持するという二重構造を採用したならば、大型化、構造の複雑化、外観の劣悪化、部品点数の増大、コストの増大等を招く。また、太陽電池並びに枠の受風面積が増大するので、それらの強度や支柱の強度を増大させる必要がある。
【００６４】
また、太陽電池５と各蓄電池６との組み合わせからなる電源を採用しているので、商用交流電源からの電力供給を必用とせず、地震等の災害時に商用交流電源からの電力供給が停止しても、主照明部及び副照明部を点灯させることができ、非常灯として役立てることができる。更に、商用交流電源と接続するための配線工事を必要とせず、太陽電池５の発電が可能であれば、如何なる場所にも設置することができる。
【００６５】
更に、四角柱状の中空の支柱２内で、主照明部３と副照明部４間に各蓄電池６及び充放電ユニット７を縦に並べて収容しているので、支柱２内のスペースを有効利用することができる。
【００６６】
また、主照明部３及び副照明部４を直流で駆動しており、蛍光燈の様に交流駆動を必要としないので、各種の無線機、携帯電話機、心臓病のペースメーカ等に影響を与えることがない。
【００６７】
尚、本発明は、上記実施形態に限定されるものではなく、多様に変形することができる。例えば、各ＬＥＤランプの個数や配置を適宜に変更しても良い。また、主照明部３及び副照明部４の照明方向を適宜に変更したり調節可能な構造を採用しても構わない。更に、主照明部３として、ＬＥＤランプの代わりに、多の種類の光源を採用しても良い。あるいは、副照明部４として、ＬＥＤランプの代わりに、他の種類の光源と反射板等の組み合わせを採用して、副照明部４に指向性を持たせても構わない。また、主照明部３及び副照明部４の照射光の色を相互に異ならせても良い。
【００６８】
更に、太陽電池と蓄電池の組み合わせからなる電源と商用交流電源を選択的に利用可能にしたり、商用交流電源のみを利用しても良い。
【００６９】
また、支柱等の形状や材質を適宜に変更しても構わない。
【図面の簡単な説明】
【００７０】
【図１】本発明の照明装置の実施形態１を示す斜視図である。
【図２】図１の照明装置を示す正面図である。
【図３】図１の照明装置を示す側面図である。
【図４】図１の照明装置を上方から見て示す平面図である。
【図５】図１の照明装置による照明範囲を示す側面図である。
【図６】図１の照明装置の設置例を示す斜視図である。
【図７】（ａ）は図１の照明装置における太陽電池、支持枠、及びシャフト等を示す部分断面図であり、（ｂ）は（ａ）の点線部分を拡大して示す断面図である。
【符号の説明】
【００７１】
１  照明装置
２  支柱
３  主照明部
４  副照明部
５  太陽電池
６  蓄電池
７  充放電ユニット
８  地震センサ
１１  ベースプレート
１２  補強板
１３、１４  透明カバー
１５  光反射板
２１、２５  ＬＥＤランプ
２２、２３、２４  照明列
４１  支持枠
４２  シャフト
４３  シャフト受け
【図１】
2006244710.tif 000003
【図２】
2006244710.tif 000004
【図３】
2006244710.tif 000005
【図４】
2006244710.tif 000006
【図５】
2006244710.tif 000007
【図６】
2006244710.tif 000008
【図７】
2006244710.tif 000009